(57)【要約】【課題】軽量化の効果が大きく、ドアガラスの昇降時においても、充分なシール性を発揮できるガラスランを提供する。【解決手段】ガラスラン１０の本体は、車外側側壁２０と、車内側側壁３０と、底壁４０とからなる断面略コ字形をなしている。車外側側壁２０と車内側側壁３０には、それぞれ本体の断面略コ字状の本体の内側に向かって延出する車外側シールリップ２１と車内側シールリップ３１を設けている。車外側側壁２０は、ソリッド材又は微発泡ソリッド材で形成され、車内側側壁と３０底壁４０は、スポンジ材で形成された自動車用ガラスランである。【選択図】図１
2009056924.tif 000002
【特許請求の範囲】
【請求項１】
自動車ドアのドアフレームの上辺内周に取付け、ドアガラスの昇降を案内する自動車用ガラスランにおいて、
上記ガラスランの本体は、車外側側壁と、車内側側壁と、底壁とからなる断面略コ字形をなし、上記車外側側壁と車内側側壁には、それぞれ上記本体の断面略コ字状の本体の内側に向かって延出する車外側シールリップと車内側シールリップを設け、該車外側シールリップと車内側シールリップにより上記ドアガラスの端部の車外側面及び車内側面をシールし、
上記車外側側壁は、ソリッド材又は微発泡ソリッド材で形成され、上記車内側側壁と底壁は、スポンジ材で形成されたことを特徴とする自動車用ガラスラン。
【請求項２】
上記スポンジ材は、比重が０．３〜０．８である請求項１に記載の自動車用ガラスラン。
【請求項３】
上記ソリッド材又は微発泡ソリッド材は、比重が０．８〜１．２である請求項１又は請求項２に記載の自動車用ガラスラン。
【請求項４】
上記車外側シールリップは、ソリッド材又は微発泡ソリッド材で形成された請求項１乃至請求項３のいずれか１項に記載の自動車用ガラスラン。
【請求項５】
上記車内側側壁と上記車内側シールリップは、それぞれ上記車外側側壁と上記車外側シールリップよりも大きく、肉厚に形成された請求項１乃至請求項４のいずれか１項に記載の自動車用ガラスラン。
【請求項６】
上記車外側側壁の外面に凹部を形成し、該凹部にドアフレーム又はドアモールの端部を嵌合し、上記車外側側壁を保持する請求項１乃至請求項５のいずれか１項に記載の自動車用ガラスラン。
【請求項７】
上記車外側シールリップと車内側シールリップの表面に、低摺動部材層が形成された請求項１乃至請求項６のいずれか１項に記載の自動車用ガラスラン。
【請求項８】
上記底壁の表面に、低摺動部材層が形成された請求項１乃至請求項７のいずれか１項に記載の自動車用ガラスラン。
【請求項９】
上記車内側側壁の先端にカバーリップを形成し、該カバーリップは、上記ドアフレームの車内側側端又は上記ドアフレームの車内側に取付けられたガーニッシュの側端に当接する請求項１乃至請求項８のいずれか１項に記載の自動車用ガラスラン。
【発明の詳細な説明】
【技術分野】
【０００１】
本発明は、自動車ドアのドアフレームの上辺の内周に取付け、ドアガラスの昇降を案内するガラスランに関するものである。
【背景技術】
【０００２】
図３に示すように、自動車のドア１のドアフレーム２の内周にドアガラス５の昇降を案内するガラスラン１１０が取付けられている。その従来のガラスラン１１０の全体を図２に示し、従来のガラスラン１１０がドアフレーム２の直線部に取付けた状態の断面図を図４と図５に示す。
【０００３】
従来、ガラスラン１１０は、図３に示すように、ドアフレーム２のチャンネル内に取付けられて、ドアガラス５の昇降を案内するとともにドアガラス５とドアフレーム２との間をシールしている。さらに、ガラスラン１１０は、図２に示すように、押出成形により成形された直線部１１１からなるドアフレーム２の上辺部と、同じく押出成形されたフロント側縦辺部及びリヤ側縦辺部を、型成形によってドアフレーム２のコーナー部２ｂの形状に合わせて形成されたコーナー部１１２で接続している。
【０００４】
なお、ドア１と車体との間のシールは、ドアパネルおよびドアフレーム２の外周に取付けられたドアウエザストリップ（図示せず）および／または車体の開口部のフランジに取付けられたオープニングトリムウエザストリップ（図示せず）によりなされている。
【０００５】
ガラスラン１１０の本体の直線部１１１は、図４に示すように、車外側側壁１２０と、車内側側壁１３０と、底壁１４０からなる断面略コ字状をなしている。車外側側壁１２０の先端付近から車外側シールリップ１２１が本体の断面略コ字状の内側に向けて延出するように設けられている。また、車内側側壁１３０にもその先端付近から車内側シールリップ１３１が断面略コ字状の内側に向けて延出するように設けられている。
【０００６】
ガラスラン１１０の本体の車外側側壁１２０、車内側側壁１３０と底壁１４０はドアフレーム２に設けられたチャンネル１０３内に挿入され、各壁の外面の少なくとも一部がチャンネル１０３の内面に圧接され、ガラスラン１１０を保持している。なお、図４に示すように、チャンネル１０３は、ドアフレーム２を折り曲げて形成される場合や、別部材で形成されたチャンネルを嵌め込む場合がある。
【０００７】
ドアガラス５は、このガラスラン１１０の本体の断面略コ字状の内側を摺動するとともに、上記車外側シールリップ１２１と車内側シールリップ１３１によってドアガラス５の端部の両側面がシールされて保持されている（例えば、特許文献１参照。）。
また、チャンネル１０３内にガラスラン１１０を装着したときに、チャンネル１０３内にガラスラン１１０を係止して保持するために、ガラスラン１１０の直線部では、車内側側壁１３０と車外側側壁１２０にそれぞれ車内側保持リップ１３４と車外側突起部１２４が設けられている。
【０００８】
このガラスラン１１０の本体の車外側側壁１２０、車内側側壁１３０と底壁１４０は、通常のゴム又は合成樹脂のソリッド材で形成されており比重が大きく、また、車外側シールリップ１２１と車内側シールリップ１３１には磁性体が練り込まれているものもある。このため、ガラスラン１１０の全体の重量が大きくなり、近年の車輌に軽量化の要請に反することとなる。
【０００９】
そのため、図５に示すように、車内側側壁２３０、車内側シールリップ２３１及び底壁２４０を微発泡ゴムで形成し、車外側側壁２２０は外観線ＯＬ２２２より根元部分は微発泡ゴムで形成し、車外側側壁２２０の外観線ＯＬ２２２より先端側と車外側シールリップ２２１をソリッドゴムで形成したガラスラン２１０がある（例えば、特許文献２参照。）。
【００１０】
しかしながら、このガラスラン２１０は、その大部分が微発泡ゴムで形成されているため、比重があまり低下していなく、充分な軽量化を達成できていないという問題点があった。
【特許文献１】特開２００５−３４９８６９号公報
【特許文献２】特開２００４−１９６０３３号公報
【発明の開示】
【発明が解決しようとする課題】
【００１１】
そこで、本発明は、軽量化の効果が大きく、ドアガラスの昇降時においても、充分なシール性を発揮できるガラスランを提供することを目的としている。
【課題を解決するための手段】
【００１２】
上記課題を解決するために請求項１の本発明は、自動車ドアのドアフレームの上辺内周に取付け、ドアガラスの昇降を案内する自動車用ガラスランにおいて、
ガラスランの本体は、車外側側壁と、車内側側壁と、底壁とからなる断面略コ字形をなし、車外側側壁と車内側側壁には、それぞれ本体の断面略コ字状の本体の内側に向かって延出する車外側シールリップと車内側シールリップを設け、車外側シールリップと車内側シールリップによりドアガラスの端部の車外側面及び車内側面をシールし、
車内側側壁と車内側シールリップは、それぞれ車外側側壁と車外側シールリップよりも大きく、肉厚に形成され、
車外側側壁は、ソリッド材又は微発泡ソリッド材で形成され、車内側側壁と底壁は、スポンジ材で形成されたことを特徴とする自動車用ガラスランである。
【００１３】
請求項１の本発明では、直線部のガラスランの本体は、車外側側壁と、車内側側壁と、底壁とからなる断面略コ字形をなし、車外側側壁と車内側側壁には、それぞれ断面略コ字状の本体の内側に向かって延出する車外側シールリップと車内側シールリップを設け、車外側シールリップと車内側シールリップによりドアガラスの両側端部の車外側面及び車内側面をシールしている。
【００１４】
このため、ドア閉時に、ドアフレームの上辺部及び縦辺部において車外側側壁と、車内側側壁と、底壁とからなる本体の断面略コ字状のガラスランの内側に、ドアガラスの先端を収納することができ、ドアガラスを確実に保持することができる。また、直線部の上辺部及び縦辺部において、車外側シールリップと車内側シールリップにより、ドアガラスの昇降に応じて、両方のシールリップがドアガラスに当接し、車外側シールリップと車内側シールリップによりドアフレームとドアガラスとの間のシールをすることができる。
【００１５】
車外側側壁は、ソリッド材又は微発泡ソリッド材で形成されたため、剛性が高く、ドアガラスが上昇して、ガラスランの本体内に進入したときに、ドアガラスの先端により車外側側壁が異常変形することがなく、確実にシール性を確保することができるとともに、ドアフレームからガラスランが飛び出すこともなく、見栄えが良い。また、ソリッド材又は微発泡ソリッド材であるため、表面が滑らかであり、デザイン的にも好ましい。
【００１６】
車内側側壁と底壁は、スポンジ材で形成されたため、ガラスランの全体の中で体積の占める割合の大きな部分を、比重の軽いスポンジ材で形成することができ、ガラスランの全体の重量を大きく低減させることができ、車輌の軽量化に貢献することができる。
また、車内側側壁は車外側側壁よりも大きく、肉厚に形成されているため、スポンジ材で形成されても、ドアガラスの昇降により異常変形することがない。
【００１７】
請求項２の本発明は、スポンジ材の比重が０．３〜０．８である自動車用ガラスランである。
【００１８】
請求項２の本発明では、ガラスランの全体の中で体積の占める割合の大きな部分である車内側側壁と底壁等が、比重が０．３〜０．８であるスポンジ材で形成されているため、比重が小さく、ガラスラン全体の重量を大きく低下することができる。
【００１９】
請求項３の本発明は、ソリッド材又は微発泡ソリッド材の比重が０．８〜１．２である自動車用ガラスランである。
【００２０】
請求項３の本発明では、車外側側壁等の比重が０．８〜１．２であるソリッド材又は微発泡ソリッド材で形成されているため、ソリッド材の部分で重量を大きく増加させることなく、剛性を維持することができる。
【００２１】
請求項４の本発明は、車外側シールリップは、ソリッド材又は微発泡ソリッド材で形成された自動車用ガラスランである。
【００２２】
請求項４の本発明では、車外側シールリップは、ソリッド材又は微発泡ソリッド材で形成されたため、ドアガラスが上昇して、先端が車外側シールリップに当接したときに、異常変形をすることなく、ドアガラスの先端側面に当接して、ドアガラスを保持するとともに、シールをすることができる。
【００２３】
請求項５の本発明は、車内側側壁と車内側シールリップは、それぞれ車外側側壁と車外側シールリップよりも大きく、肉厚に形成された自動車用ガラスランである。
【００２４】
請求項５の本発明では、ガラスランの車内側側壁と車内側シールリップは、それぞれ車外側側壁と車外側シールリップよりも大きく、肉厚に形成されたため、ドアガラスを確実に保持できるとともに、ドアガラスを車外方向に位置させることができ、ドアガラスとドアフレームとの間の段差を小さくすることができ、風切り音を小さくして、見栄えを良くすることができる。また、ドアフレーム又はドアモールの車外側の面積を小さくすることができ、デザイン的にも好ましい。
【００２５】
請求項６の本発明は、車外側側壁の外面に凹部を形成し、凹部にドアフレーム又はドアモールの端部を嵌合し、車外側側壁を保持する自動車用ガラスランである。
【００２６】
請求項６の本発明では、車外側側壁の外面に凹部を形成し、凹部にドアフレーム又はドアモールの端部を嵌合し、車外側側壁を保持する。このため、車外側側壁をドアフレーム又はドアモールで確実に保持して、ドアガラスの昇降に対しても、車外側側壁が外れることなく、ドアガラスとの間を確実にシールするとともに、車外側からの美観を向上させることができる。
【００２７】
請求項７の本発明は、車外側シールリップと車内側シールリップの表面に、低摺動部材層が形成された自動車用ガラスランである。
【００２８】
請求項７の本発明では、車外側シールリップと車内側シールリップの表面に、低摺動部材層が形成されたため、ドアガラスがガラスランの本体内に進入し、摺動しても、車外側シールリップ及び車内側シールリップとの摺動抵抗を減少させることができ、ドアガラスのスムースな昇降を維持することができる。
【００２９】
請求項８の本発明は、底壁の表面に、低摺動部材層が形成された自動車用ガラスランである。
【００３０】
請求項８の本発明では、底壁の表面に、低摺動部材層が形成されたため、ドアガラスが上昇し、ガラスランの本体内に進入し底壁に当接しても、ドアガラスと底壁の密着を防止し、異音の発生を防止することができる。
【００３１】
請求項９の本発明は、車内側側壁の先端にカバーリップを形成し、カバーリップは、ドアフレームの車内側側端又はドアフレームの車内側に取付けられたガーニッシュの側端に当接する自動車用ガラスランである。
【００３２】
請求項９の本発明では、車内側側壁の先端にカバーリップを形成し、カバーリップは、ドアフレームの車内側側端又はドアフレームの車内側に取付けられたガーニッシュの側端に当接する。このため、ドアフレームの車内側側端又はドアフレームの車内側に取付けられたガーニッシュの側端とドアガラスとの間の隙間を覆い、見栄えを良くすることができる。
【発明の効果】
【００３３】
本発明は、車外側側壁は、ソリッド材又は微発泡ソリッド材で形成されたため、剛性が高く、ドアガラスの先端により車外側側壁が異常変形することがなく、確実にシール性を確保することができるとともに、見栄えが良い。また、ソリッド材又は微発泡ソリッド材であるため、表面が滑らかであり、デザイン的にも好ましい。
車内側側壁と底壁は、スポンジ材で形成されたため、ガラスランの全体の中で体積の占める割合の大きな部分を、比重の軽いスポンジ材で形成することができ、ガラスランの全体の重量を大きく低減させることができ、車輌の軽量化に貢献することができる。
【発明を実施するための最良の形態】
【００３４】
本発明の実施の形態を、図１〜図３に基づき説明する。
図３は、自動車のフロントのドア１の正面図であり、図２は、ドア１のドアフレーム２に取付けるフロントドアのガラスラン１０の正面図である。図３に示すように、ドア１の上部にはドアフレーム２が設けられ、ドアガラス５が昇降自在に取付けられる。すなわち、ドアフレーム２の内周には、ガラスラン１０が取付けられ、ドアガラス５の昇降を案内するとともに、ドアガラス５とドアフレーム２との間をシールしている。
【００３５】
ガラスラン１０は、図２に示すように、全体として押出成形で形成された直線部１１と、ドアフレーム２のコーナー部２ｂに取付けられ、上記の直線部１１を接続し、型成形で形成されるコーナー部１２からなる。
直線部１１は、ドアフレーム２の上辺部に取付けられる部分と、ドアフレーム２のリヤ側縦辺部に取付けられる部分と、ドアフレーム２のフロント側縦辺部をなすディビジョンサッシュに取付けられる部分とからなる。
【００３６】
これらの押出成形部分をドアフレーム２に対応した形状となるように、フロント側とリヤ側のそれぞれのコーナー部分において、型成形により成形して直線部１１を接続してコーナー部１２が形成されている。なお、ガラスラン１０のコーナー部１２は、ドアフレーム２のコーナー部２ｂの部分に装着される。
【００３７】
以下に、フロント側のドア１の上辺部に装着されるガラスラン１０を例に取り説明する。
図１は、ドアフレーム２の上辺に取付けられたガラスラン１０の図３のＡ−Ａ線に沿った断面図である。
【００３８】
ドアフレーム２の上辺部に取付けられるガラスラン１０の直線部１１の断面形状は、図１に示すように、本体が車外側側壁２０と、車内側側壁３０と、底壁４０とから断面略コ字状に形成されている。後述のように、車内側側壁３０が車外側側壁２０よりも大きく、厚肉に形成され、断面略コ字形は、車内側が大きな非対称形に形成されている。
ガラスラン１０の本体は、ドアフレーム２の上辺部に取付けられる部分も縦辺部に取付けられる部分も基本的には、ほぼ同様な断面略コ字形の断面形状を有している。
【００３９】
本発明のガラスラン１０は、ドアフレーム２の上辺に取付けられ、ドアフレーム２の先端外周面には、ドアモール５０が取付けられている。ドアフレーム２の先端は、屈曲されて断面略Ｌ字形のチャンネル３を形成し、チャンネル３とドアモール５０とでガラスラン１０を保持している。
【００４０】
ドアモール５０は、一方の端部であるドアモール取付部５１が、ドアフレーム２の先端付近の水平面に取付ネジ６０等で取付けられ、ドアモール取付部５１から屈曲して形成されたドアモール装飾部５２がドアフレーム２の先端を覆いドアフレーム２の外周の装飾部分を形成している。
【００４１】
ドアモール装飾部５２の端部は、ヘヤピン状に裏面側に屈曲してドアモール保持部５３を形成している。ドアモール保持部５３は、後述する車外側保持凹部２５に嵌めこまれて、車外側側壁２０を保持する。
なお、ドアモール５０を使用しなく、ドアフレーム２を屈曲して断面略Ｕ字形のチャンネル３を形成してガラスラン１０を保持することもできる。
【００４２】
ガラスラン１０の車外側側壁２０は、断面略板状に形成される。
車外側側壁２０の先端付近から車外側シールリップ２１が、上記本体の断面略コ字状の内側に向けて延設されている。また、車外側カバーリップ２２が車外側側壁２０の先端から車外方向に延設されている。車外側カバーリップ２２は、ドアモール５０の先端をカバーしている。
【００４３】
ドアモール５０とドアフレーム２のアウターパネル２ｃの先端により断面略コ字状の部分を形成し、その内にガラスラン１０を保持している。
また、車外側側壁２０は、後述する車内側側壁３０よりも小さく形成されるので、ドアモール５０の車外側の面積を小さくすることができ、デザイン的にも好ましい。
【００４４】
車外側側壁２０の外側面には、車外側突起部２３が車外側側壁２０の外側面の底壁４０側に形成されている。この車外側突起部２３と車外側カバーリップ２２の間に車外側保持凹部２５が形成されている。この車外側保持凹部２５に、上記のように、ドアモール５０のドアモール保持部５３を嵌合し、車外側側壁２０を保持する。
【００４５】
これにより、車外側側壁２０をドアモール５０で確実に保持することができる。そのため、ドアガラス５が昇降しても、ドアガラス５に引きずられてドアモール５０から車外側側壁２０が外れることなく、確実にシールするとともに、ドアガラス５が車外側にはみ出すことがなく、車外側からの美観を向上させることができる。
【００４６】
車外側側壁２０は、ゴム又は熱可塑性エラストマーのソリッド材又は微発泡ソリッド材で形成されている。このたため、剛性が高く、ドアガラス５が上昇して、ガラスラン１０の本体内に進入したときに、ドアガラス５の先端がずれて、ドアガラス５の先端が車外側側壁２０の先端に当接した場合でも、車外側側壁２０が異常変形することがなく、確実にシール性を確保することができる。さら上述の車外側保持凹部２５がドアモール５０に保持されていることと相まって、ドアフレーム２からガラスラン１０が飛び出すこともなく、見栄えが良い。また、ソリッド材又は微発泡ソリッド材であるため、表面が滑らかであり、デザイン的にも好ましい。
【００４７】
車外側側壁２０は、比重が０．８〜１．２であるソリッド材又は微発泡ソリッド材で形成されている。微発泡ソリッド材の場合は比重が０．８〜１．０程度であり、ソリッド材の場合は比重が１．０〜１．２程度である。このため、車外側側壁２０の剛性を維持しつつ、重量の増加を抑えることができる。
また、車外側側壁２０は、車内側側壁３０と比べても体積が小さく、比重が０．８〜１．２程度であっても、ガラスラン１０全体の重量を増加させることが少ない。
【００４８】
車外側側壁２０は、車外側連結部２６で底壁４０と連結されている。車外側連結部２６は、内面に溝部が形成され、製造時に、車外側側壁２０と車内側側壁３０が底壁４０とハ字形に開いていても、チャンネル３のガラスラン１０を取付けるときに、車外側側壁２０と底壁４０の間が撓みやすくなり、取付けが容易になる。
【００４９】
車外側シールリップ２１は、車外側側壁２０の先端からガラスラン１０の本体の内部方向に斜めに延設されている。車外側シールリップ２１と後述する車内側シールリップ３１により、ドアガラス５の先端部の両側面を保持する。ドアガラス５の昇降に応じて、車外側シールリップ２１と後述する車内側シールリップ３１がドアガラス５の側面に当接し、ドアフレーム２とドアガラス５との間のシールをすることができる。
【００５０】
車外側シールリップ２１は、車外側側壁２０と同様にゴム又は熱可塑性エラストマーのソリッド材又は微発泡ソリッド材で形成されることが好ましい。この場合は、剛性が高く、ドアガラス５が上昇して、ガラスラン１０の本体内に進入したときに、ドアガラス５を確実に保持し、シール性を確保することができる。
【００５１】
車外側シールリップ２１及び車内側シールリップ３１の表面に、低摺動部材層２８、３８を形成することができる。この場合は、ドアガラス５がガラスラン１０の本体内に進入し、摺動しても、車外側シールリップ２１及び車内側シールリップ３１とドアガラス５との摺動抵抗を減少させることができ、ドアガラス５のスムースな昇降を維持することができる。
【００５２】
低摺動部材層２８、３８は、熱可塑性エラストマーのオレフィン部分の比率が多い摺動抵抗の少ない材料を、車外側シールリップ２１及び車内側シールリップ３１の表面に０．１ｍｍ程度の厚さで同時押出して形成したり、シリコン樹脂やウレタン樹脂を塗布したりして形成することができる。
【００５３】
なお、車外側シールリップ２１の内面、又は車外側側壁２０の内面に低摺動部材層や突条を形成することもできる。この場合には、ドアガラス５がガラスラン１０の本体内部に侵入したときに、車外側側壁２０と車外側シールリップ２１が密着することを防止でき、異音の発生の防止とシール性の確保ができる。
【００５４】
車内側側壁３０は、車外側側壁２０よりも肉厚で大きく形成されている。このため、ガラスラン１０を強固にドアフレーム２に保持できる。
さらに、車内側側壁３０は、車外側側壁２０よりも大きく、肉厚に形成されたため、がガラスラン１０の本体内で、ドアガラス５を車外方向に位置させることができ、ドアガラス５とドアモール５０との間の段差を小さくすることができ、風切り音を小さくして、見栄えを良くすることができる。
【００５５】
車内側側壁３０は、スポンジ材で形成されている。車内側側壁３０は、図１に示すように、車外側側壁２０と比べて大きく、ガラスラン１０の全体の中で体積の占める割合が大きく、この大きな部分を、比重の軽いスポンジ材で形成することができ、ガラスラン１０の全体の重量を大きく低減させることができ、車輌の軽量化に貢献することができる。
このスポンジ材の比重は、０．３〜０．８であることが好ましい。車内側側壁３０の比重が０．３〜０．８であるスポンジ材で形成される場合は、ガラスラン１０全体の重量を大きく低下することができる。
【００５６】
車内側側壁３０の外面には、先端側に車内側突起部３３が形成され、底壁４０との連続部分の付近に車内側保持リップ３４が形成されている。ドアフレーム２のアウターパネル２ｃには、凹部２ｆ、２ｇが２箇所屈曲して形成され、この凹部２ｆ、２ｇにそれぞれ車内側突起部３３と車内側保持リップ３４が係止される。このため、前述のドアモール５０と、凹部２ｆ、２ｇによりガラスラン１０をドアフレーム２に保持し、車内側側壁３０とアウターパネル２ｃとの間をシールすることができる。
【００５７】
車内側突起部３３と車内側保持リップ３４との間の車内側保持凹部３５が形成され、車内側保持凹部３５には、アウターパネル２ｃの突出部２ｈが嵌めこまれて車内側側壁３０を保持している。このため、上記の車内側突起部３３と車内側保持リップ３４の保持効果とあわせて、車内側側壁３０を確実に保持することができる。
【００５８】
車内側側壁３０は、車内側連結部３６で底壁４０と連結されている。車内側連結部３６は、内面に溝部が形成され、チャンネル３のガラスラン１０を取付けるときに、車外側連結部２６と同様に、車内側側壁３０と底壁４０の間が撓みやすくなり、取付けが容易になる。
【００５９】
車内側側壁３０の内面には、車内側突条３７が複数長手方向に連続して形成されている。ドアガラス５がガラスラン１０本体内部に侵入して、後述する車内側シールリップ３１の先端が車内側側壁３０の内面に圧接された場合でも、車内側シールリップ３１の先端が車内側側壁３０の内面に密着することを防止して、異音の発生を防止することができる。
【００６０】
車内側シールリップ３１は、車内側側壁３０の先端からガラスラン１０の本体の内部方向に斜めに延設されている。前述のように、車内側シールリップ３１と車外側シールリップ２１により、ドアガラス５の先端部の両側面を保持する。ドアガラス５の昇降に応じて、車内側シールリップ３１と車外側シールリップ２１がドアガラス５の側面に当接し、ドアフレーム２とドアガラス５との間のシールをすることができる。
【００６１】
車内側シールリップ３１は、車内側側壁３０と同様にスポンジ材で形成されている。車内側シールリップ３１を比重の軽いスポンジ材で形成することができ、ガラスラン１０の全体の重量を大きく低減させることができ、車輌の軽量化に貢献することができる。
このスポンジ材の比重は、０．３〜０．８であることが好ましい。車内側シールリップ３１の比重が０．３〜０．８であるスポンジ材で形成される場合は、ガラスラン１０全体の重量を大きく低減することができる。
【００６２】
前述のとおり、車内側シールリップ３１の表面に、低摺動部材層３８を形成することができる。この場合は、車内側シールリップ３１とドアガラス５との摺動抵抗を減少させることができ、ドアガラス５のスムースな昇降を維持することができる。
低摺動部材層３８は、車外側シールリップ２１と同じ熱可塑性エラストマーのオレフィン部分の比率が多い摺動抵抗の少ない材料や、シリコン樹脂やウレタン樹脂を塗布して形成することができる。
【００６３】
車内側側壁３０の先端から、車内側カバーリップ３２が斜め上方に延設されている。この車内側カバーリップ３２は、ドアフレーム２のアウターパネル２ｃの車内側の屈曲部と、ドアフレーム２の車内側に取付けられたガーニッシュ７０の先端を覆うように形成されている。これによって、アウターパネル２ｃ及びガーニッシュ７０とドアガラス５との間の隙間を塞ぎ、見栄えをよくすることができる。
【００６４】
底壁４０は、略板状に形成され、車内側側壁３０および車外側側壁２０との連続部では屈曲が容易にできるように溝部が形成されている。底壁４０の外面の車外側側端には底壁シールリップ４１、４２が形成され、アウターパネル２ｃの底面に当接して、ドアフレーム２とガラスラン１０の間をシールしている。
【００６５】
底壁４０のガラスラン１０の本体の断面略コ字形の内面には、車外側シールリップ２１と車内側シールリップ３１と同様に底壁低摺動部材層４３が形成されている。このため、ドアガラス５との摺動抵抗を減少させることができる。底壁低摺動部材層４３は、短繊維の植毛で形成することができる。
【００６６】
ガラスラン１０の直線部１１の成形においては、成形材料は、熱可塑性エラストマー又はＥＰＤＭゴムのソリッド材とスポンジ材が使用され、熱可塑性エラストマーでは、ポリオレフィン系エラストマー等が使用される。ＥＰＤＭゴムの場合は押出成形後に加熱し加硫される。
ガラスラン１０のコーナー部１２も、ＥＰＤＭゴム又はオレフィン系熱可塑性エラストマーで形成する。同種の材料であり、ガラスラン１０の直線部１１とコーナー部１２の接着性がよい。また、いずれもオレフィン系の材料であり、耐候性がよく、同時に粉砕処理ができ、リサイクル容易な製品を得ることができる。
【図面の簡単な説明】
【００６７】
【図１】本発明の実施の形態であるガラスランを上辺部に装着した状態の断面図であり、図３におけるＡ−Ａに沿った断面図である。
【図２】本発明の実施の形態であるガラスランの正面図である。
【図３】自動車ドアの正面図である。
【図４】従来のガラスランを上辺部に装着した状態の断面図である。
【図５】従来の他のガラスランを上辺部に装着した状態の斜視図である。
【符号の説明】
【００６８】
２  ドアフレーム
１０  ガラスラン
２０  車外側側壁
２１  車外側シールリップ
２５  車外側保持凹部
３０  車内側側壁
３１  車内側シールリップ
３２  車内側カバーリップ
４０  底壁
５０  ドアモール
【図１】
2009056924.tif 000003
【図２】
2009056924.tif 000004
【図３】
2009056924.tif 000005
【図４】
2009056924.tif 000006
【図５】
2009056924.tif 000007